(57)【要約】【解決手段】  ＷｉＭＡＸネットワークと他のネットワークとの間でのハンドオーバーを管理する技術を説明する。【選択図】  図１Ｂ
2011517164.tif 000002
【特許請求の範囲】
【請求項１】
ＷｉＭＡＸネットワークとＧＰＲＳ／ＵＭＴＳネットワークとの間でのハンドオーバーを管理する方法であって、
移動局において、前記ＷｉＭＡＸネットワークから前記ＧＰＲＳ／ＵＭＴＳネットワークへのハンドオーバーを開始するための要求を開始する段階と、
前記要求を基地局に送信する段階と、
前記要求をターゲット無線ネットワークコントローラ（ＲＮＣ）へ送信する段階と、
アクセス・リンク・コントロール・アプリケーション・プロトコル・トランスポート・ベアラを構築する段階と、
前記ターゲット無線ネットワークコントローラ（ＲＮＣ）から前記移動局へ肯定応答を送信する段階と、
前記移動局から前記ターゲット無線ネットワークコントローラ（ＲＮＣ）へ確認を送信する段階と
を備える方法。
【請求項２】
前記要求をターゲット無線ネットワークコントローラへ送信する段階は、サービングＧＰＲＳサポートノードを介して前記要求を送信する段階を有する請求項１に記載の方法。
【請求項３】
１以上のセキュリティ処理を実施する段階をさらに備える請求項１に記載の方法。
【請求項４】
前記移動局と前記ターゲット無線ネットワークコントローラとの間のデータ経路を更新する段階をさらに備える請求項１に記載の方法。
【請求項５】
前記移動局に対応付けられているロケーションパラメータを更新する段階をさらに備える請求項１に記載の方法。
【請求項６】
前記移動局に対応付けられている加入者データを更新する段階をさらに備える請求項１に記載の方法。
【請求項７】
前記移動局に対応付けられているデータ経路の登録を取り消す段階をさらに備える請求項１に記載の方法。
【請求項８】
ＷｉＭＡＸネットワークとＳＡＥネットワークとの間でのハンドオーバーを管理する方法であって、
移動局において、前記ＷｉＭＡＸネットワークから前記ＳＡＥネットワークへのハンドオーバーを開始するための要求を開始する段階と、
前記要求を基地局へ送信する段階と、
前記要求をターゲット無線ネットワークコントローラ（ＲＮＣ）へ送信する段階と、
アクセス・リンク・コントロール・アプリケーション・プロトコル・トランスポート・ベアラを構築する段階と、
前記ターゲット無線ネットワークコントローラ（ＲＮＣ）から前記移動局へ肯定応答を送信する段階と、
前記移動局から前記ターゲット無線ネットワークコントローラ（ＲＮＣ）へ確認を送信する段階と
を備える方法。
【請求項９】
前記要求をターゲット無線ネットワークコントローラへ送信する段階は、サービングＧＰＲＳサポートノードを介して前記要求を送信する段階を有する請求項８に記載の方法。
【請求項１０】
１以上のセキュリティ処理を実施する段階をさらに備える請求項８に記載の方法。
【請求項１１】
前記移動局と前記ターゲット無線ネットワークコントローラとの間のデータ経路を更新する段階をさらに備える請求項８に記載の方法。
【請求項１２】
前記移動局に対応付けられているロケーションパラメータを更新する段階をさらに備える請求項８に記載の方法。
【請求項１３】
前記移動局に対応付けられている加入者データを更新する段階をさらに備える請求項８に記載の方法。
【請求項１４】
前記移動局に対応付けられているデータ経路の登録を取り消す段階をさらに備える請求項８に記載の方法。
【発明の詳細な説明】
【背景技術】
【０００１】
ＷｉＭＡＸネットワークと他のネットワークとを相互に作用させ、且つ、両者間でハンドオーバーを実行するための技術には、有用性があると考えられ得る。
【図面の簡単な説明】
【０００２】
以下の添付図面を参照しつつ詳細に説明する。図面は以下の通りである。
【図１Ａ】実施形態に係る、ＷｉＭＡＸネットワークにおけるデータ経路を示す概略図である。
【図１Ｂ】実施形態に係る、ＷｉＭＡＸネットワークとＧＰＲＳ／ＵＭＴＳネットワークとの間におけるハンドオーバー手順を示す概略図である。
【図１Ｃ】実施形態に係る、ＧＰＲＳ／ＵＭＴＳネットワークにおけるデータ経路を示す概略図である。
【図２】実施形態に係る、ＷｉＭＡＸネットワークとＧＰＲＳ／ＵＭＴＳネットワークとの間におけるハンドオーバー手順を示す概略図である。
【図３】実施形態に係る、ＷｉＭＡＸネットワークとＧＰＲＳ／ＵＭＴＳネットワークとの間における相互作用手順を示す概略図である。
【図４】実施形態に係る、ＷｉＭＡＸネットワークとＧＰＲＳ／ＵＭＴＳネットワークとの間における相互作用手順を示す概略図である。
【図５】実施形態に係る、ＷｉＭＡＸネットワークとＧＰＲＳ／ＵＭＴＳネットワークとの間における相互作用手順を示す概略図である。
【図６】実施形態に係る、ＷｉＭＡＸネットワークとＧＰＲＳ／ＵＭＴＳネットワークとの間における相互作用手順を示す概略図である。
【図７】実施形態に係る、ＷｉＭＡＸネットワークとＧＰＲＳ／ＵＭＴＳネットワークとの間における相互作用手順を示す概略図である。
【図８】実施形態に係る、ＭＩＰフェーズの手順を示す概略図である。
【図９】実施形態に係る、ＭＩＰフェーズの手順を示す概略図である。
【発明を実施するための形態】
【０００３】
本明細書では、ＷｉＭＡＸネットワークと他のネットワークとの間でハンドオーバーを実行すると共に両者間で互いの動作に基づいて処理を進めるためのシステムおよび方法の例を記載する。以下の説明では、さまざまな実施形態を完全に理解していただくべく具体的且つ詳細な内容を数多く記載する。しかし、当業者におかれては、後述する具体的且つ詳細な内容を含むことなくさまざまな実施形態を実施し得るものと理解されたい。また、公知の方法、手順、構成要素、および回路は、具体的な実施形態の説明をあいまいにすることを避けるべく、詳細な図示または説明を省略している。
【０００４】
一部の実施形態によると、ＷｉＭＡＸネットワークとＧＰＲＳ／ＵＭＴＳネットワークとの間でのハンドオフ処理を管理する方法が提供される。図１Ａは、実施形態に係る、ＷｉＭＡＸネットワークにおけるデータ経路を示す概略図である。図１Ａを参照しつつ説明すると、移動局（ＭＳ）、基地局（ＢＳ）、ソースアクセスサービスネットワークゲートウェイ（ＡＳＮ−ＧＷ）、および、ゲートウェイＧＰＲＳサポートノード（ＧＧＳＮ）の間に、データ経路が存在する。ＧＧＳＮは、ＨＳＳホームロケーションレジスタ（ＨＳＳ／ＨＬＲ）に結合されるとしてよい。
【０００５】
図１Ｂは、実施形態に係る、ＷｉＭＡＸネットワークとＧＰＲＳ／ＵＭＴＳネットワークとの間におけるハンドオーバー手順を示す概略図である。図１Ｂを参照しつつ説明すると、ＭＳは、ソースＢＳに対して、ハンドオーバーを開始したい旨を示すＭＯＢ＿ＭＳＨＯ−ＲＥＱを送る。このメッセージには、ターゲット無線ネットワークコントローラ（ＲＮＣ）および／またはノードＢの識別子が含まれるとしてよい。
【０００６】
ソースＢＳは、ＭＳに関してハンドオーバーをトリガすることに同意すると、ソースＡＳＮ−ＧＷに対して、このＭＳに関するハンドオーバーを示すＨＯ要求を送る。ソースＡＳＮ−ＧＷは、ＨＯ要求を受け取った後、ターゲットサービングＧＰＲＳサポートノード（ＳＧＳＮ）に、フォワードリロケーション要求を送る。この要求は、ターゲットＳＧＳＮがこのＭＳに対してトランスポートベアラを構築する際に必要となる情報を含む。データの整合性を保証するべく、ＰＤＵ情報が含まれるとしてよい。
【０００７】
ターゲットＳＧＳＮは、ターゲットＲＮＣに対して、ソースＡＳＮ−ＧＷから取得したコンテクストの一部または全てを含むリロケーション要求を送る。ターゲットＳＧＳＮおよびターゲットＲＮＣで受け取ったコンテクストに応じて、アクセスリンクコントロールアプリケーションプロトコル（ＡＬＣＡＰ）Ｉｕｂデータトランスポートベアラが構築される。ターゲットＲＮＣはその後、無線リンク設定要求をターゲットノードＢに送り、無線リンクリソース割り当てに対して準備するように要求する。ターゲットノードＢはその後、ターゲットＲＮＣに対して、無線リンク設定応答で返答する。
【０００８】
ターゲットＲＮＣおよびターゲットノードＢが受信したコンテクストに応じて、ＡＬＣＡＰ  Ｉｕｂデータトランスポートベアラが、ターゲットＲＮＣとノードＢとの間に、設定される。ターゲットＲＮＣは、ターゲットＳＧＳＮに対して、リロケーション要求肯定応答（Ａｃｋ）を送る。ターゲットＳＧＳＮは、ソースＡＳＮ−ＧＷに対して、フォワードリロケーション応答を送る。ソースＡＳＮ−ＧＷは、ソースＢＳに対して、ＨＯ応答を送る。
【０００９】
ソースＢＳにデータがバッファリングされていれば、ソースＢＳはデータをソースＡＳＮ−ＧＷへとフォワーディングし、ＡＳＮ−ＧＷは当該データをターゲットＳＧＳＮにフォワーディングし、そしてターゲットＲＮＣにフォワーディングする。ソースＡＳＮ−ＧＷにデータがバッファリングされていれば、ＡＳＮ−ＧＷはデータを直接ターゲットＳＧＳＮにフォワーディングすることができ、その後ターゲットＲＮＣにフォワーディングすることができる。ソースＢＳは、ＭＯＢ＿ＢＳＨＯ−ＲＳＰをＭＳへ送り、ＭＳは、ソースＢＳに対して、当該ＭＳが所望するハンドオーバー先であるターゲットＲＮＣおよびノードＢの識別子を含むＭＯＢ＿ＨＯ−ＩＮＤを送る。
【００１０】
ソースＢＳはその後、ソースＡＳＮ−ＧＷに対して、ターゲットＲＮＣおよびノードＢの識別子を示すＨＯ確認を送る。ソースＡＳＮ−ＧＷは、ターゲットＳＧＳＮに対して、ＳＲＮＳコンテクストフォワーディングを送る。この手順は、ソースＡＳＮコンテクストをターゲットＲＮＣに移送することと、サービングＡＳＮの役割をターゲットＲＮＣへと移行させることとを目的としている。コンテクストには、アップリンク方向およびダウンリンク方向についての次のＰＤＵシーケンス番号が含まれるとしてよい。サービングＡＳＮ−ＧＷは、ＧＲＥ  ＰＤＵシーケンス番号をＧＴＰ  ＰＤＵシーケンス番号へとマッピングする。
【００１１】
ソースＡＳＮ−ＧＷからコンテクストを受け取ると、ＭＳが有効か否かを検証するべくセキュリティ機能が作動する。セキュリティ機能によってＭＳが正しく認証されない場合、ハンドオーバー手順は失敗となる。セキュリティ機能の実行が成功した後、ターゲットＳＧＳＮは、ソースＡＳＮ−ＧＷに対してＳＲＮＳコンテクストフォワーディング肯定応答で返答して、ＳＲＮＳコンテクストの受け取りが完了し、ＭＳが検証の結果有効となったことを確認する。
【００１２】
ターゲットＳＧＳＮは、ターゲットＲＮＣに、ＳＲＮＳコンテクストフォワーディングを送る。ターゲットＳＧＳＮは、アップリンク方向およびダウンリンク方向のそれぞれについて、ＧＴＰ  ＰＤＵシーケンス番号をＰＤＣＰ  ＰＤＵシーケンス番号にマッピングするとしてよい。ＭＳは、ターゲットノードＢによって検出される。ターゲットノードＢは、ターゲットＲＮＣに対して、無線リンク復元指示を送る。ターゲットＲＮＣは、ターゲットＳＧＳＮに対して、ＭＳがターゲットＲＮＣによって検出されたことを示すリロケーション検出を送る。
【００１３】
ＭＳは、自身の再設定が済むと、ＲＲＣメッセージ、例えば、物理チャネル再設定完了メッセージをターゲットＳＲＮＣへと送る。ターゲットＳＲＮＣが適切なＲＲＣメッセージ、例えば、ＵＴＲＡＮの場合は物理チャネル再設定完了メッセージあるいは無線ベアラリリース完了メッセージ、または、ＧＥＲＡＮの場合はＵＴＲＡＮへのハンドオーバー完了メッセージまたはハンドオーバー完了メッセージを受け取ると、つまり、ＭＳとの間で無線プロトコルにより新しいＳＲＮＣ−ＩＤ＋Ｓ−ＲＮＴＩの交換が成功すると、ターゲットＳＲＮＣは、新しいＳＧＳＮに対してリロケーション完了メッセージを送ることによって、リロケーション完了手順を開始する。リロケーション完了手順は、ターゲットＳＲＮＣが、ＣＮへのＳＲＮＳのリロケーションの完了を示すことを目的とする。ターゲットＳＧＳＮは、ソースＡＳＮ−ＧＷに対して、フォワードリロケーション完了を送って、ターゲットネットワークでリロケーションが完了したことを知らせる。
【００１４】
ソースＡＳＮ−ＧＷがソースＢＳにハンドオーバー完了を送ると、その後、ソースＢＳとＡＳＮ−ＧＷとの間のデータ経路の登録が取り消される。データ経路登録取り消し手順は、ソースＢＳまたはＡＳＮ−ＧＷによって開始することができる。ターゲットＳＧＳＮは、ＧＧＳＮのＰＤＰコンテクストを更新する。ＧＧＳＮは、ＰＤＰコンテクストフィールドを更新して、ＰＤＰコンテクスト更新応答メッセージを返す。図１Ｃは、実施形態に係る、ＧＰＲＳ／ＵＭＴＳネットワークにおけるデータ経路を示す概略図である。
【００１５】
一部の実施形態に係るシステムは、ルーティングエリア（ＲＡ）更新手順を実装している。ＭＳは、新しい３ＧＰＰネットワークにハンドオーバーすると、ターゲットＳＧＳＮに対してルーティングエリア更新要求を送って、ルーティングエリアの更新を要求する。ターゲットＳＧＳＮは、ルーティングエリア情報を更新するべく、ＨＳＳ／ＨＬＲに対して、このＭＳの現在のルーティングエリア情報を含むロケーション更新を送る。ＨＳＳ／ＨＬＲは、最新エリア情報がＡＡＡサーバを指し示していることを認識するので、ロケーション削除をＡＡＡサーバに送る。ＡＡＡサーバは、ロケーション削除を受け取った後、格納されているＭＳセッション情報を消去して、ロケーション削除肯定応答で返答する。
【００１６】
ＨＳＳ／ＨＬＲは、新しいＳＧＳＮに対して、加入者データ挿入を送って加入者関連データを通知し、ＳＧＳＮは、加入者データ挿入肯定応答で返答する。ＨＳＳ／ＨＬＲは、ロケーション更新に対して、ロケーション更新肯定応答で応答する。ＭＳがモードＩまたはクラスＡであれば、ＳＧＳＮはロケーション更新要求をＭＳＣ／ＶＬＲに送る。ＭＳＣ／ＶＬＲは、ロケーション更新要求を受け取ると、ＨＳＳ／ＨＬＲに対してロケーション更新を送ることができる。
【００１７】
ＨＳＳ／ＨＬＲは、加入者データ挿入を利用して、ＭＳＣ／ＶＬＲに対して加入者データを送り、ＭＳＣ／ＶＬＲは加入者データ挿入肯定応答で応答する。ＨＳＳ／ＨＬＲは、ＭＳＣ／ＶＬＲに加入者データを挿入した後、ロケーション更新肯定応答をＭＳＣ／ＶＬＲに送る。ＭＳＣ／ＶＬＲは、ロケーション更新肯定応答を受け取った後、ロケーション更新承認をＳＧＳＮに送り、ＳＧＳＮはルーティングエリア更新承認をＭＳに送る。ＭＳは、ルーティングエリア更新承認を受信した後、ルーティングエリア更新完了でＳＧＳＮに対して応答する。
【００１８】
図２は、実施形態に係る、ＷｉＭＡＸネットワークとＧＰＲＳ／ＵＭＴＳネットワークとの間におけるハンドオーバー手順を示す概略図である。図２を参照しつつ説明すると、ソースＳＲＮＣは、測定結果および既知のＲＡＮトポロジーに基づき、ハードハンドオーバーおよびＳＲＮＳリロケーション混合処理を開始することを決める。ソースＲＮＣは、ソースＳＧＳＮに対して、リロケーションを要求するリロケーション要求（Relocation Required）を送る。ソースＳＧＳＮは、ターゲットＩＤに基づき、ＳＲＮＳリロケーションが、ＳＧＳＮ内ＳＲＮＳリロケーションであるか、ＳＧＳＮ間ＳＲＮＳリロケーションであるかを判断する。ＳＧＳＮ間ＳＲＮＳリロケーションの場合、ソースＳＧＳＮは、ターゲットＡＳＮ−ＧＷにフォワードリロケーション要求メッセージを送ることによって、リロケーションリソース割り当て手順を開始する。
【００１９】
ターゲットＡＳＮ−ＧＷは、ハンドオーバー要求をターゲットＢＳに送って、ＢＳがＭＳに対してアクセスを認めるか否かを問い合わせる。ターゲットＢＳは、ターゲットＡＳＮ−ＧＷに対して、ハンドオーバー応答で返答する。ターゲットＡＳＮ−ＧＷは、ソースＳＧＳＮに対して、ターゲットＢＳからのコンテクストを含むフォワードリロケーション応答を送る。ソースＳＧＳＮは、ソースＲＮＣに対して、ターゲットＢＳがＭＳを承認し得ることを示すリロケーションコマンドを送る。
【００２０】
データの整合性を保証するべく、ソースＲＮＣはデータをソースＳＧＳＮにフォワーディングして、ＳＧＳＮはデータをターゲットＡＳＮ−ＧＷにフォワーディングする。ソースＲＮＣは、ハンドオーバーを示すＲＲＣメッセージ（例えば、ＵＴＲＡＮの場合は物理チャネル再設定、または、ＵＴＲＡＮからのハンドオーバー、または、ＧＥＲＡＮ  Ｉｕモードの場合はハンドオーバーコマンド）をＭＳに送る。ソースＲＮＣは、ＳＲＮＳコンテクストフォワーディングをソースＳＧＳＮに送る。ＳＲＮＳコンテクストは、関連するＲＡＢ毎に送られ、アップリンク方向およびダウンリンク方向に次に送信されるべきＧＴＰ  ＰＤＵのシーケンス番号およびＭＳからデータを送受信するべく利用されたであろう次のＰＤＣＰシーケンス番号を含む。ソースＳＧＳＮは、ソースＲＮＣから受信したコンテクストを含むＳＲＮＳコンテクストを、ターゲットＡＳＮ−ＧＷにフォワーディングする。
【００２１】
ターゲットＡＳＮ−ＧＷは、ソースＳＧＳＮからＳＲＮＳコンテクストを受け取ると、ＳＲＮＳコンテクストフォワーディング肯定応答で返答する。ターゲットＡＳＮ−ＧＷは、ターゲットＢＳに対して、ＭＳがここにＭＳがハンドオーバーすることを示すＨＯ確認を送る。ＡＳＮ−ＧＷとＢＳとの間のデータ経路は、ＨＯ確認の後に設定されるとしてよい。ＭＳは、ターゲットＢＳにＲＮＧ−ＲＥＱを送って、ネットワークへの参入を要求する。ターゲットＢＳは、ＡＫコンテクストについて、ターゲットＡＳＮ−ＧＷに問い合わせる。ターゲットＡＳＮ−ＧＷは、ＭＳについてＡＫコンテクストを供給できない、または、導き出せない場合、ＡＡＡサーバに連絡して、ルート鍵およびその寿命を取得し、ＡＡＡサーバがルート鍵を供給できない場合、ＨＳＳ／ＨＬＲに連絡して鍵材料を取得するとしてよい。ＡＡＡサーバはアクセス承認をターゲットＡＳＮ−ＧＷに送り、ターゲットＡＳＮ−ＧＷは関連セキュリティコンテクストを導き出してＡＫコンテクストをターゲットＢＳに送る。
【００２２】
ターゲットＢＳは、セキュリティコンテクストを取得して、検証の結果ＭＳが有効であると判断した後、ＲＮＧ−ＲＳＰをＭＳに送る。ここで、ＢＳとＡＳＮ−ＧＷとの間のデータ経路を確立するとしてよい。ＢＳは、ハンドオーバー完了をＡＳＮ−ＧＷに送る。ＡＳＮ−ＧＷはソースＳＧＳＮにフォワードリロケーション完了を送り、ソースＳＧＳＮはフォワードリロケーション完了肯定応答で応答する。ＳＧＳＮはソースＲＮＣに対してＩｕリリースコマンドを送ってＩｕインターフェースをリリースして、ソースＲＮＣはその後Ｉｕリリース完了で返答する。
【００２３】
ＡＳＮ−ＧＷは、フォワードリロケーション完了肯定応答を受信した後、ＧＧＳＮにＰＤＰコンテクスト更新要求を送り、ＧＧＳＮはＭＳについてＰＤＰコンテクストを更新し、ＰＤＰコンテクスト更新応答で応答する。ロケーション更新手順には２種類あり、一方はＡＡＡサーバを介して行う手順であり、他方はＨＳＳ／ＨＬＲに直接ロケーション更新を送る手順である。前者の手順によれば、ＡＳＮ−ＧＷはＭＡＰを実装する必要がない。
【００２４】
一部の実施形態に係るシステムは、ロケーション更新を実装しているとしてよい。例えば、ターゲットＡＳＮ−ＧＷは、ＡＡＡサーバを介して、ＨＳＳ／ＨＬＲにロケーション更新を送る。ＨＳＳ／ＨＬＲは、ＭＳが新しいアクセスネットワークに入ったことを認識すると（これは、ＡＳＮ−ＧＷの識別子を読むことによって可能）、ロケーション削除をソースＳＧＳＮに送り、ＳＧＳＮはこのＭＳについての関連セッションコンテクストを消去してロケーション削除肯定応答で返答する。ＨＳＳ／ＨＬＲは、ロケーション削除肯定応答を受け取った後、新しいＡＳＮ−ＧＷに加入者データをＡＡＡサーバを介して挿入する。これは、加入者データ挿入および加入者データ挿入肯定応答を利用することによって実行されるとしてよい。
【００２５】
ＨＳＳ／ＨＬＲは、新しいＡＳＮ−ＧＷに加入者データを挿入した後、ＡＡＡサーバを介してロケーション更新肯定応答で応答する。ＭＳが３ＧＰＰネットワークにおいてモードＩまたはクラスＡであった場合、ＨＳＳ／ＨＬＲは、ＭＳＣ／ＶＬＲにロケーション削除を送り、ＭＳＣ／ＶＬＲはＭＳ関連セッションコンテクストを消去してロケーション削除肯定応答で返答する。
【００２６】
ロケーション更新ルーチンの別の例では、ターゲットＡＳＮ−ＧＷがロケーション更新をＨＳＳ／ＨＬＲに送る。ＨＳＳ／ＨＬＲは、ＭＳが新しいアクセスネットワークに入ったことを認識すると（これは、ＡＳＮ−ＧＷの識別子を読むことによって可能）、ロケーション削除をソースＳＧＳＮに送り、ＳＧＳＮはこのＭＳについての関連セッションコンテクストを消去してロケーション削除肯定応答で返答する。ＨＳＳ／ＨＬＲは、ロケーション削除肯定応答を受信した後、新しいＡＳＮ−ＧＷに加入者データを挿入する。これは、加入者データ挿入および加入者データ挿入肯定応答を利用することによって実行されるとしてよい。ＨＳＳ／ＨＬＲは、新しいＡＳＮ−ＧＷに加入者データを挿入した後、ロケーション更新肯定応答で応答する。
【００２７】
ＭＳが３ＧＰＰネットワークにおいてモードＩまたはクラスＡであった場合、ＨＳＳ／ＨＬＲは、ＭＳＣ／ＶＬＲにロケーション削除を送り、ＭＳＣ／ＶＬＲはＭＳ関連セッションコンテクストを消去してロケーション削除肯定応答で返答する。
【００２８】
別の実装例に係るシステムでは、ＷｉＭＡＸネットワークと他のネットワークとの間で互いの動作に応じて処理を進めるための方法が提供される。図３から図７は、実施形態に係る、ＷｉＭＡＸネットワークとＧＰＲＳ／ＵＭＴＳネットワークとの間における相互作用手順を示す概略図である。
【００２９】
図３を参照しつつ説明すると、まず、時間同期、電力同期、周波数同期等の同期を実現するべく、ＭＳは無線インターフェースによってＢＳに接続される。ＭＳとＨＳＳとの間では、ＡＡＡクライアントを介して、ＡＳＮ−ＧＷおよびＡＡＡサーバで、認証が行われる。ローミングの場合であれば、ビジタＣＳＮにはＡＡＡプロキシがあり、ホームＣＳＮにはＡＡＡサーバがある。認証が成功すれば、ＡＡＡサーバはビジタＣＳＮに通知して、ビジタＣＳＮはＡＳＮにＭＳが認証されたことを通知する。同時に、加入者情報がＡＳＮに送られる。ＤＨＣＰメッセージおよびＭＩＰメッセージを搬送するべく、最初のサービスフローがＢＳとＡＳＮ−ＧＷとの間に設けられて、ＤＨＣＰ手順およびＭＩＰ手順が実行される。
【００３０】
ＡＳＮ−ＧＷにＤＨＣＰプロキシがあれば、ＤＨＣＰ手順はＭＳとＡＳＮ−ＧＷとの間で実行される。ＡＳＮ−ＧＷにＤＨＣＰエージェントがあれば、ＤＨＣＰ手順は、ＭＳ、ＡＳＮ−ＧＷ、およびＤＨＣＰサーバの間で実行される。クライアントＭＩＰｖ４の場合、ＭＳ、ＡＳＮ−ＧＷ、およびＰＤＮ−ＧＷの間でＭＩＰ手順が実行される。プロキシＭＩＰｖ４の場合、ＡＳＮ−ＧＷとＰＤＮ−ＧＷとの間でＭＩＰ手順が実行される。プロキシＭＩＰｖ６の場合、ＡＳＮ−ＧＷとＰＤＮ−ＧＷとの間でＭＩＰ手順が実行される。ＭＩＰ登録が成功すると、ＡＳＮ−ＧＷとＰＤＮ−ＧＷとの間にＭＩＰトンネルが設けられる。ＭＩＰ登録の後、ＭＳ、ＢＳ、ＡＳＮ−ＧＷ、ＰＤＦ、およびＰＣＲＦの間でプロビジョニング前のサービスフロー手順が実行される。ローミングの場合、ビジタＣＳＮにＶ−ＰＣＲＦがある。
【００３１】
図４は、ＷｉＭＡＸネットワークとＳＡＥネットワークとの間でハンドオフを行うための準備フェーズでの処理を示す概略図である。ハンドオーバーが実行される前に、アップリンクペイロードＰＤＵおよびダウンリンクペイロードＰＤＵは、ＭＳ、ソースＢＳ、ソースＡＳＮ−ＧＷ、およびＰＤＮ−ＧＷの間で転送される。
【００３２】
図４に示す実施形態によると、ＭＳは、ソースＢＳに対して、ハンドオーバーを示すＭＯＢ＿ＭＳＨＱ−ＲＥＱを送る。ターゲットｅノードＢの候補のリストが含まれる。ソースＢＳは、ソースＡＳＮ−ＧＷに対して、所望のハンドオーバー先であるターゲットｅノードＢの識別子のリストを含むハンドオーバー要求を送る。このメッセージには、ＭＳの電力、周波数、時間、および機能に関する情報が含まれるとしてよい。ソースＡＳＮ−ＧＷは、各ターゲットｅノードＢのロケーションを問い合わせ、ターゲットＭＭＥを見つけて、ハンドオーバー準備を示すフォワードリロケーション要求を各ターゲットＭＭＥに送る。このメッセージには、ＭＳの電力、周波数、時間、および機能に関する情報が含まれるとしてよい。
【００３３】
ターゲットＭＭＥはその後、ターゲットｅノードＢに対して、ハンドオーバー準備を示すリロケーション要求を送る。このメッセージには、ＭＳの電力、周波数、時間、および機能に関する情報が含まれるとしてよい。ターゲットｅノードＢは、自身の機能と、ＭＳの情報とを比較して、当該ターゲットｅノードＢにＭＳがハンドオーバー可能か否かを判断する。ターゲットｅノードＢは、ＭＳの受け入れが可能であれば、ターゲットＭＭＥに対して、周波数、時間、および機能に関する情報を含んだリロケーション要求肯定応答を送る。ターゲットＭＭＥは、ソースＡＳＮ−ＧＷに、フォワードリロケーション応答を送る。ターゲットｅノードＢの周波数、時間、および機能に関する情報が含まれるとしてよい。ソースＡＳＮ−ＧＷは、各ターゲットｅノードＢからの応答をまとめて、ソースＢＳへハンドオーバー応答を送る。ターゲットｅノードＢの周波数、時間、および機能に関する情報が含まれるとしてよい。最後に、ソースＢＳは、判断して、ＭＳに対して、候補であるｅノードＢの機能に関する情報を含めたｅノードＢ候補リストを送る。
【００３４】
図５は、実施形態に係るハンドオーバーフェーズを示す概略図である。図５を参照しつつ説明すると、ＭＳは最初に、所望のハンドオーバー先であるターゲットｅノードＢを決定し、ソースＢＳに対して、ターゲットｅノードＢの識別子を含むＭＯＢ＿ＨＯ−ＩＮＤを送る。ソースＢＳは、ソースＡＳＮ−ＧＷに対して、ターゲットｅノードＢの識別子およびそれに関するＭＳコンテクストを含むハンドオーバー要求を送る。ソースＡＳＮとターゲットｅノードＢとの間でデータフォワーディングが実行されるとしてよい。
【００３５】
ソースＡＳＮ−ＧＷは、ターゲットＭＭＥに対して、ＭＳコンテクストを含むＳＲＮＳコンテクストフォワーディングを送る。ターゲットＭＭＥは、ターゲットｅノードＢに対して、ＭＳコンテクストを含むＳＲＮＳコンテクストフォワーディングを送る。ターゲットｅノードＢは、ＳＲＮＳコンテクストフォワーディング肯定応答で、ターゲットＭＭＥに返答する。
【００３６】
ターゲットＭＭＥは、ＳＲＮＳコンテクストフォワーディング肯定応答で、ソースＡＳＮ−ＧＷに返答する。ＭＳは、ターゲットｅノードＢに接続される。
【００３７】
ターゲットｅノードＢは、Ｅ−ＵＴＲＡＮへのＨＯ完了を受け取った後、ターゲットＭＭＥにリロケーション完了を送る。ターゲットＭＭＥは、ソースＡＳＮ−ＧＷにフォワードリロケーション完了を送り、ソースＡＳＮ−ＧＷは、フォワードリロケーション完了肯定応答メッセージで返答する。ソースＡＳＮ−ＧＷは、ソースＢＳにハンドオーバー完了を送る。ＢＳとＡＳＮ−ＧＷとの間のデータ経路は登録が取り消され、ＭＩＰリリース手順が実行される。
【００３８】
ターゲットＭＭＥは、サービングＳＷに対して、ターゲットｅノードＢの識別子を含むベアラ更新要求を送り、サービングＧＷは、ベアラ更新要求をＰＤＮ−ＧＷにフォワーディングする。ＰＤＮ−ＧＷは、サービングＧＷにベアラ更新応答で返答し、サービングＧＷはターゲットＭＭＥにベアラ更新応答を送る。データベアラは、ターゲットｅノードＢ、サービングＧＷ、およびＰＤＮ−ＧＷの間で設定される。アップリンクペイロードＰＤＵおよびダウンリンクペイロードＰＤＵは、ＭＳ、ｅノードＢ、サービングＧＷ、およびＰＤＮ−ＧＷの間で転送される。
【００３９】
図６は、ＳＡＥネットワークとＷｉＭＡＸネットワークとの間でハンドオフを行うための準備フェーズでの処理を示す概略図である。図６を参照しつつ説明すると、ソースｅノードＢは、ＭＳがリロケーションを実行する必要があることを検出すると、ソースＭＭＥに対して、ハンドオーバーを意味するロケーション要求（Relocation Required）を送る。このメッセージには、ターゲットＢＳの識別子が含まれる。ＭＳおよびｅノードＢの機能、電力、周波数、および時間に関する情報が含まれるとしてもよい。ソースＭＭＥは、ＢＳのロケーションについて問い合わせ、ターゲットＢＳのロケーションを含むターゲットＡＳＮ−ＧＷに対して、フォワードリロケーション要求を送る。ＭＳおよびｅノードＢの機能、電力、周波数、および時間に関する情報が含まれるとしてもよい。ターゲットＡＳＮ−ＧＷは、ターゲットＢＳにハンドオーバー要求を送る。ＭＳおよびｅノードＢの機能、電力、周波数、および時間に関する情報が含まれるとしてもよい。ターゲットＢＳは、当該要求を処理して、ターゲットＡＳＮ−ＧＷに対してハンドオーバー応答で返答する。ターゲットＡＳＮ−ＧＷは、ターゲットＢＳに対して、フォワードリロケーション応答で返答する。
【００４０】
図７は、ＳＡＥネットワークとＷｉＭＡＸネットワークとの間でハンドオフを行うための実行フェーズの処理を示す概略図である。図７を参照しつつ説明すると、最初に、ソースＭＭＥは、ソースｅノードＢに対して、ハンドオーバー実行フェーズが開始されたことを示すリロケーションコマンドを送る。ソースｅノードＢは、リロケーションコマンドを受信すると、ターゲットＡＳＮ−ＧＷに対してデータフォワーディングを開始するとしてよい。
【００４１】
ソースｅノードＢは、ＭＳに対して、ハンドオーバーを示している、Ｅ−ＵＴＲＡＮからのＨＯコマンドを送る。このメッセージには、ターゲットＢＳの識別子が含まれている。ソースｅノードＢは、ソースＭＭＥに対して、ＭＳセッション情報を含むＳＲＮＳコンテクストフォワーディングを利用して、ＳＲＮＳコンテクストフォワーディングを送る。このメッセージには、ターゲットＢＳの識別子が含まれている。
【００４２】
ソースＭＭＥは、ターゲットＡＳＮ−ＧＷにＳＲＮＳコンテクストフォワーディングを送る。このメッセージには、ＭＳセッション情報が含まれているとしてもよい。このメッセージには、ターゲットＢＳ識別子が含まれている。ターゲットＡＳＮ−ＧＷは、ターゲットＢＳにハンドオーバー確認を送る。このメッセージには、ＭＳセッション情報が含まれているとしてよい。
【００４３】
ターゲットＢＳは、ターゲットＡＳＮ−ＧＷに対してハンドオーバー確認の肯定応答で返答する。ターゲットＡＳＮ−ＧＷは、ソースＭＭＥに対して、ＳＲＮＳコンテクストフォワーディング肯定応答メッセージで返答する。ターゲットＷｉＭＡＸネットワークではハンドオーバーが完了し、ＡＳＮ−ＧＷは、ソースＭＭＥに対して、ターゲットネットワークにおいてハンドオーバーが完了した旨を示すフォワードリロケーション完了を送る。
【００４４】
ハンドオーバー手順が終了し、イニシャル・サービス・フローが設定された後、ＭＩＰフェーズが開始される。図８を参照しつつ説明すると、ＭＳは、ＭＩＰｖ４フォーリン・エージェント広告メッセージを受け取れない場合、ターゲットＡＳＮ−ＧＷに、ＭＩＰｖ４エージェント要請を送るとしてよい。続いて、ＡＳＮ−ＧＷのＦＡは、ＭＳに対して、ＭＩＰｖ４フォーリン・エージェント広告を広告する。ＭＳはその後、ＡＳＮ−ＧＷのＦＡに対して、ＭＩＰｖ４登録を開始するべくＭＩＰｖ４登録要求を送り、ＦＡは、ＰＤＮ−ＧＷに、ＭＩＰｖ４登録要求をフォワーディングする。
【００４５】
ＰＤＮ−ＧＷは、ＡＡＡサーバまたはＨＬＲによる認証を必要とする。認証が成功すれば、ＡＡＡサーバまたはＨＬＲは、ＭＳについてのＰＤＮ−ＧＷアドレスレコードを更新するとしてよい。ＰＤＮ−ＧＷは、ＡＳＮ−ＧＷのＦＡに対して、ＭＩＰｖ４登録返答を送り、ＡＳＮ―ＧＷのＦＡは、ＭＳに対して、ＭＩＰｖ４登録返答で返答する。
【００４６】
一部の実施形態によると、ＭＳ、ＡＳＮ−ＧＷ、およびＰＤＮ−ＧＷの間にＭＩＰトンネルが構築される。ハンドオーバー手順が終了し、イニシャル・サービス・フローが設定された後、ＭＩＰフェーズが開始される。図９を参照しつつ説明すると、最初に、ＡＳＮ−ＧＷのＰＭＩＰｖ６クライアントが、ＰＤＮ−ＧＷに対して、プロキシバインディング更新を送る。ＰＤＮ−ＧＷはその後、ＡＡＡサーバまたはＨＬＲによる認証を必要とする。認証が成功すれば、ＡＡＡサーバまたはＨＬＲは、ＭＳについてのＰＤＮ−ＧＷアドレスレコードを更新するとしてよい。最後に、ＰＤＮ−ＧＷは、ＡＳＮ−ＧＷに対して、プロキシバインディング肯定応答で返答する。
【００４７】
「論理命令」は、本明細書で使用する場合、１以上の論理演算を行うべく１以上の機械が理解する式に関する用語である。例えば、論理命令は、１以上のデータオブジェクトに対して１以上の演算を実行するべくプロセッサのコンパイラが解釈可能な命令を含むとしてよい。しかし、これは機械可読命令の一例に過ぎず、実施形態はこれに限定されない。
【００４８】
「コンピュータ可読媒体」は、本明細書で使用する場合、１以上の機械で検知可能な式を維持することが可能な媒体に関する用語である。例えば、コンピュータ可読媒体は、コンピュータ可読命令またはコンピュータ可読データを格納する１以上のストレージデバイスを含むとしてよい。このようなストレージデバイスは、例えば、光学格納媒体、磁気格納媒体、または半導体格納媒体等の格納媒体を含むとしてよい。しかし、これはコンピュータ可読媒体の一例に過ぎず、実施形態はこれに限定されない。
【００４９】
「ロジック」は、本明細書で使用する場合、１以上の論理演算を実行する構造に関する用語である。例えば、ロジックは、１以上の入力信号に基づき１以上の出力信号を供給する回路を備えるとしてよい。当該回路は、デジタル入力を受け取ってデジタル出力を供給する有限ステートマシンを有するとしてもよいし、または、１以上のアナログ入力信号に応じて１以上のアナログ出力信号を供給する回路を有するとしてもよい。当該回路は、特定用途向け集積回路（ＡＳＩＣ）またはフィールド・プログラマブル・ゲート・アレイ（ＦＰＧＡ）に設けられているとしてよい。また、ロジックは、機械可読命令を実行するための処理回路と共にメモリに格納されている当該機械可読命令を含むとしてよい。しかし、上記はロジックを供給する構造の一例に過ぎず、実施形態はこれに限定されない。
【００５０】
本明細書に記載した方法のうち一部は、コンピュータ可読媒体に格納される論理命令として実施されるとしてよい。論理命令は、プロセッサで実行されると、本明細書に記載した方法を実装する特定用途向け機械として当該プロセッサをプログラミングする。当該プロセッサは、論理命令によって本明細書に記載した方法を実行するべく設定されると、本明細書に記載した方法を実行する構造を構成する。これに代えて、本明細書に記載した方法は、例えば、フィールド・プログラマブル・ゲート・アレイ（ＦＰＧＡ）、特定用途向け集積回路（ＡＳＩＣ）等に設けられたロジックとしてもよい。
【００５１】
明細書および特許請求の範囲で、「結合」および「接続」という用語が使用される場合がある。特定の実施形態では、「接続」は、２つ以上の素子が物理的または電気的に互いに直接接触している様子を意味する用語として用いられるとしてよい。「結合」は、２つ以上の素子が、物理的または電気的に直接接触していることを意味するとしてよい。しかし、「結合」はさらに、２つ以上の素子が、互いに直接接触していないが、互いに協働または相互作用することを意味するとしてよい。
【００５２】
明細書で「一実施形態」または「実施形態」と記載する場合、これらは、当該実施形態に関連付けて記載された特定の特徴、構造、または特性が、少なくとも１つの実施例に含まれることを意味している。「一実施形態」という記載は明細書中で繰り返し見られるが、全てが同じ実施形態を指し示しているとは限らない。
【００５３】
構造の特徴および／または方法の処理に特有の用語を用いて実施形態を説明してきたが、請求対象の主題は記載した具体的な特徴または処理に限定されるものではないと理解されたい。具体的な特徴および処理は、請求対象の主題を実装する形態の例として開示されているものである。
【図１Ａ】
2011517164.tif 000003
【図１Ｂ】
2011517164.tif 000004
【図１Ｃ】
2011517164.tif 000005
【図２】
2011517164.tif 000006
【図３】
2011517164.tif 000007
【図４】
2011517164.tif 000008
【図５】
2011517164.tif 000009
【図６】
2011517164.tif 000010
【図７】
2011517164.tif 000011
【図８】
2011517164.tif 000012
【図９】
2011517164.tif 000013
【国際調査報告】
2011517164.tif 000014
2011517164.tif 000015
2011517164.tif 000016